(57)【要約】【課題】採血や注射を安全かつ容易に行うことができるようにした採血及び注射用台を提供することにある。【解決手段】上面が載置面に形成された台本体２と、台本体の載置面に載置される利用者の腕を保持する保持バンド１４と、保持バンドに設けられ採血・注射時に利用者の腕を温めるカイロ１６を具備する。【選択図】      図１
2010240250.tif 000002
【特許請求の範囲】
【請求項１】
上面が載置面に形成された台本体と、
この台本体の載置面に載置される利用者の腕を保持する保持バンドと、
この保持バンドに設けられ採血或いは注射時に利用者の腕を温める加熱手段と
を具備したことを特徴とする採血及び注射用台。
【請求項２】
上記加熱手段はカイロであって、
上記保持バンドには上記カイロを着脱可能に収容する収容部が形成されていることを特徴とする請求項１記載の採血及び注射用台。
【請求項３】
上記台本体は、
外装体と、
上下２つに分割されて上記外装体内に収容された下側部材及び上側部材と、
上記下側部材及び上側部材との間に設けられ給気して膨張させることで上記上側部材を上昇させるエアバッグと
によって構成されていることを特徴とする請求項１記載の採血及び注射用台。
【発明の詳細な説明】
【技術分野】
【０００１】
この発明は注射や採血を行う際に用いられる採血及び注射用台に関する。
【背景技術】
【０００２】
たとえば、患者などの利用者が注射や採血を受ける場合、利用者は腕を採血及び注射用台の上面に載置して行なう。このような採血及び注射用台としては、たとえば特許文献１に示されるものが知られている。
【０００３】
特許文献１に示された採血及び注射用台は本体を有する。この本体には、中間板と腕のせ板とが順次回動可能に連結されていて、これらの板は上下調節金具によって回動角度を設定できるようになっている。
【０００４】
したがって、上記上下調節金具によって上記腕のせ板の高さと角度を調整し、その上面に利用者が腕を載せれば、腕の高さや角度を採血や注射をし易い状態に設定できるから、作業性を向上させることができるということがある。
【先行技術文献】
【特許文献】
【０００５】
【特許文献１】特開２００６−１８７５６６号公報
【発明の概要】
【発明が解決しようとする課題】
【０００６】
ところで、採血や注射を行う際、血管が十分に拡張していないと注射針を血管に刺し難いということがある。血管を拡張させるには腕の注射針を刺す部分を温めることが有効である。
【０００７】
しかしながら、腕を単に台の上に載置するだけでは、とくに冬季などは血管が収縮していることがあるから、採血や注射がし難いということがある。
【０００８】
この発明は、採血や注射を行う際、腕を温めることができるようにすることで、採血や注射を安全かつ確実に行うことができるようにした採血及び注射用台を提供することにある。
【課題を解決するための手段】
【０００９】
この発明は、上面が載置面に形成された台本体と、
この台本体の載置面に載置される利用者の腕を保持する保持バンドと、
この保持バンドに設けられ採血或いは注射時に利用者の腕を温める加熱手段と
を具備したことを特徴とする採血及び注射用台にある。
【００１０】
上記加熱手段はカイロであって、
上記保持バンドには上記カイロを着脱可能に収容する収容部が形成されていることが好ましい。
【００１１】
上記台本体は、
外装体と、
上下２つに分割されて上記外装体内に収容された下側部材及び上側部材と、
上記下側部材及び上側部材との間に設けられ給気して膨張させることで上記上側部材を上昇させるエアバッグと
によって構成されていることが好ましい。
【発明の効果】
【００１２】
この発明によれば、台本体に保持バンドを設け、この保持バンドに加熱手段を設けるようにしたから、採血や注射を行う際、上記加熱手段によって腕を温めて血管を拡張させ、採血や注射を容易に、しかも安全に行うことが可能となる。
【図面の簡単な説明】
【００１３】
【図１】この発明の一実施の形態を示す全体構成の斜視図。
【図２】台本体の長手方向に沿う縦断面図。
【図３】下側部材に取り付けられたエアーバックを示す斜視図。
【図４】保持バンドの側面図。
【発明を実施するための最良の形態】
【００１４】
以下、この発明の実施の形態を図面を参照しながら説明する。  
図１と図２に示す採血及び注射用台１は台本体２を備えている。この台本体２は伸縮性のある布地によって袋状に縫製された外装体３を有する。この外装体３は外周面の下部に設けられたファスナ３ａによって開閉可能に形成されていて、その内部には図２に示すように上側部材４と下側部材５が収容されている。
【００１５】
上記上側部材４と下側部材５は、合成樹脂や木板などによって矩形状に形成された板材４ａ，５ａと、これら板材４ａ，５ａの外面に重合されるウレタンフォームなどの弾性材４ｂ，５ｂからなる。板材４ａ，５ａよりも弾性材４ｂ，５ｂの方が大きな平面積に形成されている。
【００１６】
上記下側部材５の板材５ａの内面（上面）にはエアーバック６が設けられている。このエアーバック６は、図３に示すように長手方向の中途部が上記板材５ａに一端が連結固定され他端が図示しない面状ファスナによって連結される伸縮性を有する一対の取り付バンド７によって保持されている。
【００１７】
図１に示すように、上記エアーバック６にはチューブ８が接続され、このチューブ８には給気ポンプ９が設けられている。この給気ポンプ９の圧縮・膨張を繰り返えせば、上記エアーバック６を図３に示すように膨張させることができるようになっている。なお、上記エアーバック６からの排気は上記給気ポンプ９に設けられた排気バルブ１１を手動で開放すればよい。
【００１８】
そして、上記上側部材４と下側部材５は、図２に示すように上記エアーバック６を挟んで重合されて上記外装体３の内部に収容されている。そして、上記給気ポンプ９が設けられた上記チューブ８は上記外装体３から外部に導出されている。
【００１９】
なお、上記上側の弾性材５ａの上面は幅方向に沿って湾曲し、外装体３の上面は上側の弾性材５ａの上面に対応するよう幅方向に沿って湾曲形成されている。それによって、上側部材４と下側部材５が収容された台本体２の上面は図１に示すように湾曲面２ａとなっている。
【００２０】
上記外装体３の外周面の上部両側には面状ファスナ１３（一側面のみ図示）が長手方向全長にわたって設けられている。左右一対の面状ファスナ１３には保持バンド１４が長手方向両端部を着脱可能に連結して設けられる。
【００２１】
なお、保持バンド１４の両端部を上記面状ファスナ１３に係着させるには、保持バンド１４の両端に上記面状ファスナ１３に係着する面状ファスナを設けるようにしてもよいが、保持バンド１４を面状ファスナ１３に係着可能な布地によって形成するようにしてもよい。
【００２２】
そして、上記保持バンド１４のは、上記面状ファスナ１３に対して係着位置を変えることができるようになっている。それによって、台本体２の上面に載置された利用者の腕を保持する際、その腕を保持バンド１４によって十分に圧迫した状態で締め付けることが可能となるから、腕の血管を膨張させることが可能となる。
【００２３】
図４に示すように、上記保持バンド１４は帯状の２枚の布地１４ａを縫合して形成されていて、その長手方向中途部には幅方向の一側に開放した収容部１５が形成されている。この収容部１５には加熱手段としての使い捨てのカイロ１６が着脱可能に収容される。
【００２４】
このように構成された採血及び注射用台１を使用する場合、採血や注射を行う利用者は腕を台本体２の上面の湾曲面２ａに載置した後、保持バンド１４によって保持する。この保持バンド１４の収容部１５にカイロ１６を収容しておけば、利用者は上記カイロ１６によって腕が温められる。
【００２５】
利用者が腕を温められると、腕の血管が拡張する。それによって、腕の血管に注射針が刺し易くなるから、採血や注射を容易に、しかも安全に行うことが可能となる。しかも、利用者の腕が圧迫されるよう台本体２に対して保持バンド１４の取付状態を調整すれば、そのことによっても腕の血管が拡張されるから、さらに採血や注射がし易くなる。
【００２６】
上記台本体２は外装体３内に上側部材４と下側部材５とが収容され、これら部材４，５の間にはエアーバック６が設けられている。そのため、給気ポンプ９によってエアーバック６に給気して膨張させれば、外装体３を伸張させて上側部材４を上昇させることができる。
【００２７】
つまり、台本体２の湾曲面２ａの高さを変えることができる。したがって、台本体２による腕の支持高さを、採血や注射をし易い高さに変えることができるから、そのことによっても採血や注射を容易に、しかも安全に行うことができる。
【００２８】
しかも、上側部材４と下側部材５との間にエアーバック６設け、このエアーバック６に給気して膨張させるだけで、台本体２の湾曲面２ａＮＯ高さを変えることができるため、その高さ調整のための構造が簡単であるばかりか、高さ調整時の操作も容易であるということがある。
【００２９】
なお、上記一実施の形態では保持バンドに設けられる加熱手段として使い捨てのカイロを例に挙げて説明したが、上記保持バンドに電池や家庭用電源で温められるヒータを設け、そのヒータに通電して腕を温めるようにしてもよい。電池を用いる場合、その電池を外装体の内部に収容できるようにすれば、取扱いに便利であるばかりか、外観的にも体裁がよい。
【符号の説明】
【００３０】
２…台本体、３…外装体、３…上側部材、４…下側部材、６…エアーバック、１４…保持バンド、１６…カイロ（加熱手段）
【図１】
2010240250.tif 000003
【図２】
2010240250.tif 000004
【図３】
2010240250.tif 000005
【図４】
2010240250.tif 000006